(57)【要約】【課題】花を供えたままにして被葬者を供養したいという墓参者の心情に応えつつ、花立ての穴に雨水が溜って蚊の発生源になる問題を解消する。【手段】墓に供える花として造花４を使用する。造花４は造花類保持具３によって花立て２に飾られる。造花類保持具３は、花立て２の穴５を塞ぐ蓋部９と、穴５の内部に差し込まれる取付け部10と、造花４の茎６が差し込まれる保持穴14とを供えている。取付け部10は穴５への差し込みによって弾性変形する弾性体12を供えている。花立て２の穴５は蓋で塞がれているため、花立て２の穴５に雨水が入ってボウフラが沸くことはない。【選択図】    図２
2004204511.tif 000002
【特許請求の範囲】
【請求項１】
上向きに開口した穴が空いている花立てに取付けて使用される造花類保持具であって、
前記花立ての穴を塞ぐ蓋部と、造花類を倒れ不能に保持するホルダー部と、花立てに嵌合して蓋部をずれない状態に保持する取付け部とを備えている、
花立て用の造花類保持具。
【請求項２】
前記取付け部は、蓋部の略中心部から下向きに突出した足体と、平面視で足体から放射方向に延びる複数の弾性体とから成っており、弾性体は自身の弾性変形によって花立ての穴への挿入が許容されており、
更に、造花類の茎が上方から差し込まれる保持穴を、蓋部と足体とに通るように設け、この保持穴を前記ホルダー部と成している、
請求項１に記載した花立て用の造花類保持具。
【発明の詳細な説明】
【０００１】
【発明の属する技術分野】
本発明は、墓に設置されている花立てに造花を飾るのに好適な造花類保持具に関するものである。
【０００２】
【発明の背景・従来の技術】
我が国において、殆どの墓には花立てが設置されている。墓用の花立ては自然石製や陶器製が多いが、金属板製や竹製のもの、或いはプラスチック製のものも存在している。
【０００３】
そして、古来から墓には生花を供える習わしとなっているが、殆どの場合、墓参りは年に数回しか行わないため、供えた花が腐敗して悪臭を放ったり、花立てに溜まった雨水にボウフラが沸いて蚊の発生源となったりというように、美感や衛生の面で甚だ問題となっている。特に、蚊の発生は日本脳炎や西ナイルウイルスといった伝染病の発生に直結するため、特に大きな問題となっている。
【０００４】
この点についての対策の一つとして、通常は花立ての穴を蓋で塞いでおいて、墓参りのときだけ生花を供えるということが考えられる。
【０００５】
【発明が解決しようとする課題】
ところで、墓に供えた生花が腐ってしまうのは、墓参者が供えた花をそのままにして帰るためであるが、このように墓参者が花を持ち帰ったり抜き捨てたりせずに供えたままにしているのは、できるだけ長い時間を綺麗な花に包まれて眠って欲しいという被葬者に対する弔意情愛の発露に他ならない。
【０００６】
すなわち、決して墓参者は花を放置している訳ではないのである。むしろ、花立てに残された花は墓参者の代わりであり、墓参者は、供えた花に、私（或いは私たち）が帰ったあとも被葬者を見守っていて欲しいという思いを託していると言える。
【０００７】
従って、残した花が腐敗することを十二分に理解し、かつ、花立ての穴を蓋で塞げば衛生保持の点で優れていることを理解はできても、墓参りの僅かの時間だけ花を供えて帰宅とともに花を抜き取って花立てに蓋をするという行為は、殆どの日本人にとって採り難いものであると言える。
【０００８】
そこで、供えた花はそのままにしておくという墓参の文化は維持しつつ、花が腐敗して衛生上の問題を引き起こすという問題を回避する策として、造花を供えるという方法がある。造花はいつまでも綺麗であるため美感においても優れており、現実に、生花の代わりに造花を供える人は増えている。
【０００９】
しかし、単に生花の代わりに造花を花立てに差しただけでは、腐敗の問題は解消できても、雨水が花立ての穴に溜まって蚊の発生原因になるという問題は解消できていない。
【００１０】
本発明は、このような現状を改善することを主たる課題とするものである。
【００１１】
【課題を解決するための手段】
本願発明者は、上記した問題を解消すべき試作と実験とを重ねて本願発明を完成させるに至った。
【００１２】
すなわち本願発明は、上向きに開口した穴が空いている花立てに取付けて使用される造花類保持具に係るもので、請求項１の発明では、前記花立ての穴を塞ぐ蓋部と、造花類を倒れ不能に保持するホルダー部と、花立てに嵌合して蓋部をずれない状態に保持する取付け部とを備えた構成になっている。
【００１３】
請求項２の発明では、請求項１において、前記取付け部は、蓋部の略中心部から下向きに突出した足体と、平面視で足体から放射方向に延びる複数の弾性体とから成っており、弾性体の弾性変形によって花立ての穴への足体の挿入が許容されており、更に、造花類の茎が上方から差し込まれる保持穴を、蓋部と足体とに通るように設け、この保持穴を前記ホルダー部と成している。
【００１４】
【発明の作用・効果】
本願発明の造花類保持具を使用して例えば墓の花立てに造花を供えると、花立ての穴が蓋部で塞がれているため、長期間使用し続けていても雨水が花立ての穴に入り込むことは全く又は殆ど無く、従って、蚊の発生といった衛生上の問題を解消することができる。
【００１５】
このように、本願発明の造花類保持具を墓用花立てに使用すると、花を供え続けて被葬者を弔いたいという墓参者の心情に応えつつ、衛生環境の悪化という切実な問題を解消することができる。従って、本願発明品の実用性は極めて高いと言える。
【００１６】
ところで、造花類保持具の取付け部を花立てに嵌合させる手段としては、取付け部を花立ての穴に差し込んで内側から突っ張らせる方法と、取付け部で花立てを外側から抱持する方法とがあるが（両者を併用することも可能ではある）、花立ての大きさや平面形状は相当に異なるため、一般には、取付け部は花立ての穴に内側から嵌合させるのが好ましいと言える。
【００１７】
しかし、花立てにおける穴の内径もまちまちで、一定していない。さりとて、穴の内径に併せて多種類の造花類保持具を製造するとコストが嵩むのみならず、種類を誤って購入して使用不能になる虞も懸念される。
【００１８】
この点、請求項２のように構成すると、穴の内径がある程度違っていても、弾性体の弾性変形量が相違することによって穴の内径の違いを吸収できるため、１種類又は少ない種類で各種の花立てに対応することができる。このため、実用性はより高いと言える。
【００１９】
なお、本願発明は墓用の花立てに使用するのに好適であるが、用途には限定はなく、屋内に設置される装飾用の花立てなど、各種の花立てに使用することができる。また、造花類には花がない草類や枝類の模造品が含まれることは言うまでもない。
【００２０】
【発明の実施形態】
次に、本発明の実施形態を図面に基づいて説明する。
【００２１】
(1).第１実施形態（図１〜図６）
図１〜図６では第１実施形態を示している。本実施形態は、図１の斜視図に示すように仏式の墓１に設置されている角形の石製花立て２に適用している。以下、図２〜図６に基づいて具体的な構造を説明する。
【００２２】
図２は花立て２と造花類保持具３と造花４とを分離した状態での斜視図、図３は造花類保持具３を下方から見た斜視図、図４は図２のIV−IV視断面図、図５は造花４を取付けた状態での図２の V-V視断面図、図６は図１のVI−VI視断面図である。
【００２３】
花立て２には上向きに開口した穴５が空いている。また、造花類保持具３は、茎６から分岐した枝７を供えており、各枝７に菊や百合等の花類や葉類を設けている。各枝７は連結具８で連結されている。茎６には多数の刺８を設けている。なお、造花４は様々の態様に具体化することができ、図示の態様に限らないことはいうまでもない。
【００２４】
造花類保持具３は例えばゴムのように弾性変形可能な素材からなっており、花立て２の上面に重なって穴５を塞ぐ蓋部９と、花立て２の穴５に挿入される取付け部１０とを供えている。蓋部９は花立て２と同様に四角形（正方形）に形成されている。
【００２５】
取付け部１０は、蓋部９から一体に延びる足体１１を供えており、足体１１には、平面視で放射方向に延びる板状弾性体１２を一体に設けている。弾性体１２は半径外側に行くに従って上下幅が小さくなるよう横向き台形状に形成されており、足体１１のみに連設されている。
【００２６】
花立て２の外径寸法及び穴５の内径寸法Ｄにはある程度の範囲でバラツキがある。そこで、足体１１の外径寸法を最も小径の穴５の直径よりも小さくて、弾性体１２の突出寸法を最も大きい穴５の半径よりもやや大きい寸法に設定することにより、どの大きさの穴５に対しても、弾性体１２を変形させた状態で取付け部１０を差し込みできるように配慮している。
【００２７】
このため、穴５の大きさに関係なく、造花類保持具３をガタ付いたりずれ動いたりしない状態で花立て２に取付けられる。図３に一点差線で一部だけ示すように、蓋部９の下面に浅い溝１３を多数形成しておいても良い。
【００２８】
造花類保持具３には、ホルダー部の一例として、造花４の茎６が差し込まれる保持穴１４が空いている。保持穴１４は、蓋部９の足体１１とを貫通しており、このため足体１１は筒状になっている。保持穴１４は足体１１に貫通させずに、上方だけに開口した状態に形成しても良い。
【００２９】
造花４の茎６は、蓋部１０及び足体１１の弾性に抗して保持穴１４に差し込んでいる。本実施形態のように造花４の茎６に多数の刺８を形成しておくと、差し込みを軽い力で行えるものでありながら、抜けを防止できる利点がある。なお、造花類保持具３はゴム製であるため、茎６は刺８があっても保持穴１４の内面に密着しており、このため、雨水が穴５に侵入することはない。
【００３０】
なお、造花類保持具３はそれのみを最終需要者に独立して販売することも可能であるが、需要者が一々造花４を取付けるのは手間であるため、予め造花４を取り付けた状態で店頭に陳列して販売するか、或いは、販売店で造花４を選んでその場で造花４を造花類保持具３に取り付けて販売するのが好ましいと言える。
【００３１】
以上の説明から既に理解できるように、本実施形態の造花類保持具３を使用すると、その取付け部１０を弾性に抗して花立て２の穴５に抜き差しすることにより、造花４を花立て２に簡単に差したり外したりすることができる。
【００３２】
そして、造花４を供えた状態で花立て２の穴５は蓋部９で塞がれているため、穴５に雨水が侵入することは全く又は殆どなく、このため、ボウフラが沸いて蚊の発生源となるような衛生問題は生じない。
【００３３】
弾性体１２は横向き台形状に形成することには限らず、長方形や正方形、半円形、三角形など様々の形態に形成できる。また、弾性体１２の枚数は４枚には限らず他の枚数でも良い（安定性の点からは３枚以上でかつ略等間隔で放射状に配置するのが好ましい）。
【００３４】
図３に一点鎖線で示すように蓋部９の下面に多数の溝１３を形成すると、蓋部９のヒズミを無くして花立て２への密着性を向上できる利点がある。また、保持具３をゴム製とすると、花立て３の上面への密着性が高まるため穴５の封止機能が高い利点がある。
【００３５】
造花類保持具３を製造する手段としては、例えばゴムな軟質合成樹脂を素材とした射出成形によって一体成形することも可能であるし、蓋部９と取付け部１０とを別々に製造して融着や接着等にて一体化することも可能である。また、全体又は一部をステンレス等の耐錆性金属板で製造することも可能である。
【００３６】
更に、蓋部９の表面に模様や彩色を施すことも可能である。模様や彩色を施す手段としては、塗装をしたり、印刷されたフィルムを貼るなど、様々の方法を採用できる。花立て２の表面（例えば御影石の石肌）と同じ模様とするのも一案である。
【００３７】
(2).第２実施形態（図７）
図７では第２実施形態を示している。（Ａ）は縦断正面図、（Ｂ）は（Ａ）のＢ−Ｂ視底面図である。
【００３８】
この実施形態では、蓋部９と取付け部１０とはそれぞれ合成樹脂の射出成形によって別々に製造されている。蓋部９には、造花４の茎６が差し込まれる内筒１６と、その外側に配置された外筒１７とを供えており、外筒１７の下端に、外向き鉤状の係合爪１８を適当な間隔で複数個設けている。
【００３９】
他方、取付け部１０は、蓋部９の外筒１７にきっちり嵌まる筒状の主部１９と、主部１９から外向きに延びる４本の弾性体１２とから成っており、主部１９の内面には、係合爪１８がその弾性に抗しての変形によって引っ掛かり係合する環状突起２１を形成している。従って、取付け部１０は蓋部９の外筒１７に強制嵌合するだけで、蓋部９に離脱不能に取付けられる。
【００４０】
また、弾性体１２は主部１９に近づくように弾性変形するため、花立て２の穴５の大きさの違いを吸収できる。なお、蓋部９の下面に補強用のリブを形成しても良い。
【００４１】
本実施形態のように蓋部９と取付け部１０とを別体に製造すると、外部に露出する蓋部９は美感を重視して美麗なものとし、取付け部１０は強度等の機能だけを追求したものとすることができる利点がある。蓋部９の下面に、花立て３への密着性を高めるためのゴムシートを設けてもよい。
【００４２】
(3).第３〜第４実施形態（図８〜図９）
図８では第３実施形態を示している。（Ａ）は縦断正面図、（Ｂ）は（Ａ）のＢ−Ｂ視断面図である。この実施形態は、例えば陶器製等の筒形の花立て２に好適なもので、蓋部９には、その中心部から下向きに突出した保持筒２３と、花立て２の外側において下方に延びるスカート部２２を一体に設けている。
【００４３】
スカート部２２には、平面視で中心部に向けて延びる多数枚の弾性体１２が一体に成形されており、（Ｂ）に示すように、弾性体１２が弾性変形することによって花立て２が抱持される。本実施形態では、スカート部２２と弾性体１２とで取付け部１０が構成されている。保持筒２３はホルダー部の一例である。
【００４４】
なお、第１実施形態のように取付け部１０を花立ての穴５に突っ張らせるタイプの造花類保持具３であっても、蓋部９を花立て２に被さる形状とすることは可能である。
【００４５】
図９では、造花４を倒れ不能に保持するホルダー部の一例として、蓋部９に保持筒２３を上向きに突設している。この場合、保持筒２３は複数設けているが１本でも良い。
【００４６】
(4).その他
本発明は上記の実施形態の他にも様々に具体化することができる。例えば、蓋部は平面視四角形や円形には限らず、平面視六角形や星型など、任意の形状に設定することができる。また、蓋部は必ずしも花立ての上面に重なる必要はなく、例えばゴム栓方式のように、穴に密嵌する形態であっても良い。
【００４７】
また、花立てにおける穴の内径の違いに取付け部を適合させる手段としては、例えば第１実施形態で示した足体にスポンジを巻いて、スポンジの変形を利用するなど、他の様々の態様を採用することができる。
【００４８】
更に、本発明においては、造花類を保持するホルダー部の形態としては、造花類を蓋部に接着したり溶着する構造も含まれる。
【図面の簡単な説明】
【図１】第１実施形態の使用状態を示す全体斜視図である。
【図２】斜視図である。
【図３】造花類保持具を下方から見た斜視図である。
【図４】図２のIV−IV視断面図である。
【図５】造花を取付けた状態での図２の V-V視断面図である。
【図６】図１のVI−VI視断面図である。
【図７】第２実施形態を示す図である。
【図８】第３実施形態を示す図である。
【図９】第４実施形態を示す図である。
【符号の説明】
１  墓
２  花立て
３  造花類保持具
４  造花
５  花立ての穴
６  造花の茎
９  蓋部
１０  取付け部
１１  足体
１２  弾性体
【図１】
2004204511.tif 000003
【図２】
2004204511.tif 000004
【図３】
2004204511.tif 000005
【図４】
2004204511.tif 000006
【図５】
2004204511.tif 000007
【図６】
2004204511.tif 000008
【図７】
2004204511.tif 000009
【図８】
2004204511.tif 000010
【図９】
2004204511.tif 000011